(57)【要約】本発明は、パルス電流を監視することによって、過電圧保護デバイスまたは過電圧保護システムの状態監視と状態ログ記録を行う回路アセンブリに関し、回路アセンブリは、誘導結合電圧源を有する少なくとも１つの受動型ＲＦＩＤトランスポンダを備え、過電圧保護デバイスまたは過電圧保護システムのイベントの場合、ＲＦＩＤトランスポンダのアンテナ回路は、影響を受けて、特に遮断され、短絡し、または離調して、妨害プロセスを特定することができるようにする。本発明によれば、コイルＬ２は、生起するパルス電流を搬送する、過電圧保護デバイスまたは過電圧保護システムの放電線上に設けられ、コイルＬ２は、パルス電流によって引き起こされた場がコイルの巻き面の中を通過するように方向付けられ、コイルＬ２は、少なくとも１つのスイッチングデバイスに接続され、同スイッチングデバイスは、ＲＦＩＤトランスポンダのアンテナ回路上で、アンテナ回路に少なくともときどき影響を与えるように、アンテナ回路のインダクタＬ１に接続される。【選択図】図１
2015512243.tif 000002
【特許請求の範囲】
【請求項１】
パルス電流を監視することによって、過電圧保護デバイスまたは過電圧保護システムの状態チェックとログ記録を行う回路装置であって、誘導結合電圧源を有する少なくとも１つのＲＦＩＤトランスポンダを備え、前記過電圧保護デバイスまたは前記過電圧保護システムのイベントの場合、前記ＲＦＩＤトランスポンダのアンテナ回路は、影響を受けて、特に遮断され、短絡しまたは離調して、干渉イベントを特定することができるようにし、
前記過電圧保護デバイスまたは前記過電圧保護システムの下降導体は、生起するパルス電流を搬送し、前記パルス電流によって誘導された場が前記コイルの巻き面に入り込むように方向付けられたコイルを設け、前記コイル（Ｌ２）は、前記ＲＦＩＤトランスポンダの前記アンテナ回路に少なくとも一時的に影響を与えるように、インダクタ（Ｌ１）が設けられた前記アンテナ回路に接続された少なくとも１つのスイッチングデバイスと通信することを特徴とする、回路装置。
【請求項２】
前記インダクタを形成する前記コイル（Ｌ１）は、パルス電流が生起するとき、どんな誘導もないまたはわずかな誘導しかないことを確実にする方向付けを有することを特徴とする、請求項１に記載の回路装置。
【請求項３】
前記コイル（Ｌ２）は、出力側においてダイオード（Ｄ１）を通って前記スイッチングエレメントまたはスイッチングデバイス（Ｓ１）に接続されたグレーツ整流ブリッジ（Ｇ１）に接続され、前記スイッチングエレメント（Ｓ１）は、前記コイル（Ｌ１）およびキャパシタ（Ｃ１）を備える、前記ＲＦＩＤトランスポンダの前記アンテナ回路を、初期状態で電流を通した状態にしておくことを特徴とする、請求項１または２に記載の回路装置。
【請求項４】
前記スイッチングエレメント（Ｓ１）がトリガされる場合、前記コイル（Ｌ１）によって発生した電圧の半波は、前記整流ブリッジ（Ｇ１）および前記ダイオード（Ｄ１）によって阻止されて、その結果前記ＲＦＩＤ通信の感度は影響を受け、特に低減されることを特徴とする、請求項３に記載の回路装置。
【請求項５】
前記コイル（Ｌ２）は、トロイダル・コア・コイルとしてまたは空心コイル、特にロゴスキコイルとして構成されることを特徴とする、請求項１から４のうちの１項に記載の回路装置。
【請求項６】
前記グレーツ整流ブリッジ（Ｇ１）の出力側にいくつかのダイオード（Ｄ１．１からＤ１．ｘ）が設けられ、前記ダイオードのそれぞれは、抵抗（Ｒ２．１からＲ２．ｘ）を経由して、関連付けられたスイッチングエレメント（Ｓ１．１からＳ１．ｘ）に通じ、前記関連付けられたスイッチングエレメント（Ｓ１．１からＳ１．ｘ）の最小トリガレベルは、生起するパルス電流またはインパルス電流の評価を成し遂げるために、前記抵抗（Ｒ２．１からＲ２．ｘ）の値に基づいてあらかじめ定義することができ、この目的のために前記スイッチングエレメント（Ｓ１．１からＳ１．ｘ）のそれぞれは、自体のＲＦＩＤトランスポンダ（ＩＣ１．１からＩＣ１．ｘ）および前記ＲＦＩＤトランスポンダの各アンテナ回路と通信することを特徴とする、請求項３から５のうちの１項に記載の回路装置。
【請求項７】
前記スイッチングエレメントまたはスイッチングデバイスは、ヒューズとして構成されることを特徴とする、請求項１から６のうちの１項に記載の回路装置。
【請求項８】
前記スイッチングエレメントは、トランジスタ（Ｔ）、特にＭＯＳＦＥＴとして構成され、時定数は、前記遮断されたアンテナ回路を再び電流を通した状態にするためにまたは前記アンテナ回路に作用する前記影響をキャンセルするために、前記各トランジスタ（Ｔ）の制御分岐内に配列されたＲＣエレメントによって設定することができることを特徴とする、請求項１から６のうちの１項に記載の回路装置。
【請求項９】
前記スイッチングデバイスがトリガされる場合、前記トランスポンダに格納された情報を読み取るために、トランスポンダ読み取りデバイスと前記アンテナ回路との間の結合を増加させることによって、通信接続を確立することが可能であることを特徴とする、請求項１から８のうちの１項に記載の回路装置。
【請求項１０】
前記結合は、送信電力を増加させることによって強化することができることを特徴とする、請求項９に記載の回路装置。
【発明の詳細な説明】
【技術分野】
【０００１】
本発明は、パルス電流を監視することによって、過電圧保護デバイスまたは過電圧保護システムの状態チェックとログ記録を行う回路装置に関する。回路装置は、誘導結合電圧源を有する少なくとも１つの受動型ＲＦＩＤトランスポンダを備える。トランスポンダは、過電圧保護デバイスまたは過電圧保護システムのイベントの場合、ＲＦＩＤトランスポンダのアンテナ回路は、影響を受けて、特に遮断され、短絡しまたは離調して、特許請求項１に従って干渉イベントを特定することができるようにする。
【背景技術】
【０００２】
過電圧保護デバイス内に高速過渡電流負荷を登録して、評価ユニット内に電流パルスの数を格納するセンサ装置が、国際公開第２０１１／０５８３１８Ａ１号パンフレットから知られている。登録されたパルスの数は、過電圧保護デバイスの状態を評価するのに用いられる。
【０００３】
ドイツ特許出願公開第１０２００８０１６５８５Ａ１号明細書に従う測定ユニットでは、過電圧保護デバイスの電圧曲線は、診断ユニットによって特定されて評価される。保護デバイスの機能状態は、振幅、勾配、電圧値範囲および時間などの、電圧曲線の特徴に基づいて分類される。これらの特徴が所定の基準を満たさない場合、保護デバイスは、機能的に作動していないとして特定される。
【０００４】
ドイツ特許出願公開第１０２００８０１６５８９Ａ１号明細書では、所定の周期での状態制御の繰り返しが示される。機能的に正常に動作しない保護エレメントは停止されて、予備エレメントへの切り替えが行われる。エラー状態は、指示デバイスまたは検出器によって信号で送られる。
【０００５】
ドイツ特許出願公開第１０２００８０２５５０１Ａ１号明細書は、ヒューズとして構成された指示デバイスを開示し、同デバイスは過電圧保護デバイスの放電経路に接続される。ヒューズがトリガされると回路分岐は切断され、一方で並列に接続された第２放電経路は機能的に作動した状態のままである。
【０００６】
導体および過電圧保護デバイス内のインパルス電流を検出するための一解決法が、ドイツ特許第３８２３３８９Ｃ１号明細書からすでに知られており、同明細書によれば、インパルス電流によって発生した磁場は、励磁可能データキャリアに格納されたデータを変化させ、特に削除する。次いで電流イベントの強度は、データキャリアに残ったままのデータから間接的に決定される。
【０００７】
ドイツ特許第１０２００４００６９８７Ｂ３号明細書は、過電圧保護デバイスの状態チェックおよびログ記録のための装置であって、特に低電圧ネットワーク技術または情報技術において同デバイスを用いるための装置を包括的に開示する。
【０００８】
この解決法によれば、過電圧保護デバイスは、筺体内で障害検出ユニットと構造的に組み合わせられ、筺体内に位置決めされたＲＦＩＤトランスポンダを用いて、障害検出ユニットを読み取ることができかつ同ユニットに問い合わせて応答させることができる。
【０００９】
この文献に記載されたトランスポンダは、ＲＦＩＤシステムの実際のデータキャリアを表すが、通常は結合エレメントおよびマイクロチップから形成される。受動型トランスポンダであるので、自体のエネルギ供給源は設けられない。受動型トランスポンダを作動させる全エネルギは、読み取りデバイスの電場または磁場から回収される。ドイツ特許第１０２００４００６９８７Ｂ３号明細書に従う過電圧保護デバイスの障害イベントでは、ＲＦＩＤトランスポンダが、誘導結合電圧源とメモリ機能を有する入手可能な特定回路とを備えた受動型トランスポンダとして構成される状態であって、メモリ機能は特定生産向け情報および特定用途向け情報ならびにテストデータおよび特性データを含有し、障害検出ユニットは、トランスポンダアンテナ回路を短絡させるまたは遮断するように誘導される。代替策としては、アンテナコイル巻線または共振回路キャパシタをオンまたはオフにスイッチングすることによって、共振回路周波数を選択的に変更することが可能である。状態チェック装置は、携帯型読み取りデバイスを用いる問い合わせを受けて応答する。トランスポンダのメモリチップに格納されたデータは読み取られて、状態チェックの結果に依存して各過電圧保護デバイスの交換を実行することができる。
【００１０】
しかしながら、いくつかの用途事例では、過電圧保護デバイスまたは過電圧保護システムの状態チェックおよびログ記録を行うことが望ましいが、インパルス電流の流量によって、ＲＦＩＤトランスポンダモジュールのアンテナ回路および別の関連のあるトランスポンダ入力に、それぞれ選択的に過負荷をかけることは可能ではない。これは、例えば、ＲＦＩＤアンテナコイル面があまりに小さい場合、アンテナが干渉磁場の磁力線に対して最適に方向付けられていない場合、または監視対象のインパルス電流があまりに低電流である、すなわちインパルス電流のエネルギが不十分である場合、などの事例の場合である。
【発明の概要】
【発明が解決しようとする課題】
【００１１】
したがって、上述したことに基づいて、パルス電流を監視することによって、過電圧保護デバイスまたは過電圧保護システムの状態チェックとログ記録を行う、さらに発展した回路装置を提供することが、本発明の目的であり、同回路装置は誘導結合電圧源を有する受動型ＲＦＩＤトランスポンダに基づいていて、過電圧保護デバイスまたは過電圧保護システムのイベントの場合、ＲＦＩＤトランスポンダアンテナ回路は、影響を受けて干渉イベントを特定する。本目的によれば、トランスポンダアンテナ回路に影響を与えることが、各ＲＦＩＤコイルの特性に関係なく、可能であるべきである。一方で、市販のトランスポンダモジュールは、通常は入力において比較的高い耐電圧を有するとみなされている。
【課題を解決するための手段】
【００１２】
本発明の目的に対する解決法は、特許請求項１の特徴の組み合わせに従う回路装置によって達成される。従属請求項は、少なくとも有用な実施形態およびさらなる展開を表す。
【００１３】
本発明によれば、可逆または不可逆スイッチ、および対応するスイッチングデバイスであってパルス電流の磁場によってトリガされたスイッチングデバイスが、それぞれ提供されて、ＲＦＩＤアンテナ回路に影響を与え、特に同回路を遮断する。
【００１４】
本発明の一実施形態において、いくつかの並列スイッチングデバイスであって、同デバイスの上流にそれぞれ抵抗を接続することで開放電流が分散されて供給されるいくつかの並列スイッチングデバイスを提供することによって、本パルス電流およびインパルス電流の評価をそれぞれ実行することが可能である。各スイッチングデバイスは、自体のＲＦＩＤ回路に割り当てられ、ＲＦＩＤ回路は、評価ユニットによって連続的に取り扱われて、各トランスポンダ内に格納されたデータを読み取ることができるかどうかについてチェックされる。次いでこの情報から評価ユニットは、トリガされているしきい値スイッチ、すなわち作動するスイッチングデバイスを特定して、生起しているインパルス電流の量または生起していたインパルス電流の量に関する情報を得ることができる。
【００１５】
スイッチングデバイスが自己導通型ＭＯＳＦＥＴなどの電子スイッチとして構成される場合、ＲＦＩＤアンテナ回路を一定時間だけ遮断することが可能である。トランスポンダが対応する評価ユニットによって連続的に問い合わせを受けて応答する場合、干渉パルスの生起を計数する計数デバイスを実現することができる。この目的のために、評価ユニットが電子スイッチの時定数よりも小さい問い合わせ間隔で作動することを確実にしなければならない。
【００１６】
したがって、本発明の目的は、パルス電流を監視することによって、過電圧保護デバイスまたは過電圧保護システムの状態チェックとログ記録を行う回路装置であって、誘導結合電圧源を有する少なくとも１つの受動型ＲＦＩＤトランスポンダを備える回路装置に基づいている。過電圧保護デバイスまたは過電圧保護システムのイベントの場合、ＲＦＩＤトランスポンダ回路は、影響を受けて、特に遮断され、短絡しまたは離調して、干渉イベントを特定することができるようにする。
【００１７】
本発明によれば、生起するパルス電流を搬送する、過電圧保護デバイスまたは過電圧保護システムの下降導体は、パルス電流によって誘導された場がコイルの巻き面に入り込むように方向付けられたコイルを設け、コイルは、ＲＦＩＤトランスポンダのアンテナ回路に少なくとも一時的に影響を与えるように、インダクタが設けられたアンテナ回路に接続された少なくとも１つのスイッチングデバイスと通信する。上述したコイルは、トランスポンダの実際のアンテナ回路コイルとは完全に独立して動作し、所期の目的で最適化することができる。
【００１８】
ＲＦＩＤトランスポンダのアンテナ回路を形成するコイルのインダクタは、パルス電流が生起するとき、どんな誘導もないまたはわずかな誘導しかないことを確実にする方向付けを有する。
【００１９】
好適な実施形態においてパルス電流コイルは、出力側においてダイオードを通ってスイッチングエレメントおよびスイッチングデバイスにそれぞれ接続されたグレーツ整流ブリッジに接続され、スイッチングエレメントは、アンテナ回路コイルおよび同回路に設けられたキャパシタを備える、ＲＦＩＤトランスポンダのアンテナ回路を、初期状態で電流を通した状態にしておく。
【００２０】
スイッチングエレメントがトリガされる場合、アンテナ回路のコイルによって発生した電圧の半波は、整流ブリッジおよび上述したダイオードによって阻止されて、その結果ＲＦＩＤ通信の感度は影響を受け、特に低減される。
【００２１】
パルス電流コイルは、好ましくはトロイダル・コア・コイルとしてまたは空心コイル、特にロゴスキコイルとして構成される。
【００２２】
本発明の別の一実施形態において、グレーツ整流ブリッジの出力側にいくつかのダイオードが設けられ、ダイオードのそれぞれは、抵抗を経由して、関連付けられたスイッチングエレメントに通じ、関連付けられたスイッチングエレメントの最小トリガレベルは、抵抗の値に基づいてあらかじめ定義することができる。それゆえに、生起するパルス電流またはインパルス電流の評価が可能である。この目的のためにスイッチングエレメントのそれぞれは、自体のＲＦＩＤトランスポンダおよびＲＦＩＤトランスポンダの各アンテナ回路と通信する。
【００２３】
最初に述べられる実施形態において、スイッチングエレメントは、ヒューズとして構成することができる。
【００２４】
トランジスタ、特にＭＯＳＦＥＴがスイッチングエレメントとして用いられる場合、ＲＦＩＤアンテナ回路に所定時間だけ影響を与える、特に同回路を所定時間だけ遮断することが可能である。設定可能な時定数の後で、アンテナ回路は、再び電流を通した状態となって、通常の作動状態に移される。この処置により、例えば雷保護（避雷）システムの気中終端デバイス内の放電電流を登録するために、パルスの生起用の計数デバイスを実現することが可能になる。
【００２５】
スイッチングデバイスがトリガされる場合、トランスポンダに格納された情報を読み取るために、トランスポンダ読み取りデバイスとアンテナ回路との間の結合を増加させることによって、通信接続を確立することが可能である。この結合は、トランスポンダと読み取りデバイスとの間のデータ伝送を得る目的で、例えば送信電力を増加させることによって強化することができる。
【００２６】
本発明は、典型的な実施形態によっておよび図の助けを得て、以下により詳細に説明されることになる。
【図面の簡単な説明】
【００２７】
【図１】スイッチングエレメントまたはスイッチングデバイスとしてヒューズを有する過電圧保護デバイスの状態チェックおよびログ記録を行う、本発明に従う解決法の最初の実施形態の模式的回路図を示す。
【図２】導体内に生起していたインパルス電流の評価をより容易にするために、コイルＬ２によって発生したエネルギがいくつかのスイッチングデバイス、特にヒューズ、に分割される、本発明に従う解決法の模式的回路装置を示す。
【図３】スイッチングデバイスであって、ＲＦＩＤアンテナ回路はパルスの生起用の計数デバイスを実現するために同スイッチングデバイスによって一定時間だけ遮断することができる、スイッチングデバイスとして電子スイッチを含む模式的回路装置を示す。
【図４】気中終端デバイスを監視するために同デバイス上にある本発明のパルス電流コイルおよびＲＦＩＤアンテナ回路コイルの典型的な装置である。
【発明を実施するための形態】
【００２８】
図１、図２および図３に図示したように、下降導体の中を流れるパルス電流ｉは、下降導体上にまたは近くに配列されたコイルＬ２内に誘導電圧を発生させる。
【００２９】
順方向に接続されたグレーツ整流ブリッジＧ１とダイオードＤ１とを経由して、この誘導電圧は、ヒューズＳ１として構成されたスイッチングデバイスに加えられる。
【００３０】
コイルＬ２に加えられたエネルギがヒューズＳ１の溶断積分よりも高い場合、ヒューズはトリガされる。
【００３１】
ヒューズＳ１は、初期状態において無負荷である。このように、ＲＦＩＤコイルＬ１およびＲＦＩＤキャパシタＣ１によって形成されたアンテナ回路であって、後者Ｃ１がトランスポンダＩＣ１とのＲＦＩＤ送信を確立するアンテナ回路は、電流を通した状態にある。
【００３２】
Ｓ１がトリガされる場合、ＲＦＩＤコイルＬ１によって発生した電圧の半波は、整流ブリッジＧ１およびダイオードＤ１によって阻止される。
【００３３】
その結果、伝送チャンネルの（図示されない）読み取りステーションへの感度は低減される。読み取りデバイスとトランスポンダ回路との間の結合が低減される場合、ヒューズＳ１が開くと送信はオフされる。
【００３４】
結合を強化することによって、例えば読み取りデバイスの送信電力を増加させることによって、トランスポンダおよび読み取りデバイスへのそれぞれの通信は、ヒューズＳ１が遮断されるにもかかわらず再度確立することができる。これについての利点は、トランスポンダ内に格納された情報を、パルス電流の監視器が作動しているにもかかわらず、依然として読み取ることができることである。
【００３５】
一実施形態においてトロイダルコアは、パルス電流検出の感度を増加させるために、コイルＬ２に用いることができる。トロイダルコアは、いわゆる電流プローブに関連して周知のように、ちょうつがいで取り付けることもでき、可動式脚で構成することもできる。空心コイル、特にロゴスキコイルは、できる限り使いやすくインダクタＬ２を実現するのに、等しく適合している。
【００３６】
過電圧保護デバイス内の放電電流を監視するための典型的な大きさ決めは、Ｌ＝７．４ｍＨおよびＮ＝４８０巻きを有するＲＦＩＤコイルＬ１に基づいている。
【００３７】
コイルＬ２は、例えばトロイダルコアにＮ＝１２巻きでインダクタンスＬ＝１．１μＨを有する。
【００３８】
Ｓｃｈｕｒｔｅｒ社のＭＡＧ  ＦＦ、２００ｍＡは、ヒューズＳ１として用いられる。
【００３９】
上述した大きさ決めにより、大略４．３ｋＡレベルの８／２０μｓのパルス電流でヒューズをトリガすることになる。
【００４０】
本発明によれば、最小トリガレベルは、開放電流および開放特性に関して特定のヒューズ種類を選択することによって、広範囲にわたって変化することができる。別の基本的パラメータは、巻き数、巻き面、コイルＬ２のコア材料、およびグレーツブリッジＧ１の出力側に接続された抵抗値Ｒ１の仕様である。
【００４１】
図１に従うアンテナ回路コイルＬ１およびパルス電流コイルＬ２から成る分離された構成は、異なる実施形態において、本発明に従う評価ユニットへのパルス電流の放電経路の結合を可能にする。
【００４２】
導体に流入するインパルス電流ｉのしきい値に委ねないために、コイルＬ２によって発生したエネルギを、いくつかのスイッチングエレメントまたはヒューズＳ１．１からＳ１．ｘに、それぞれ分散することが、図２に従って提案されて、導体内に生起するインパルス電流の容易な評価を可能にするようにする。
【００４３】
図２の説明によれば、グレーツ整流ブリッジＧ１の出力側で抵抗Ｒ１の下流にノードが形成され、示された例において３つのダイオードＤ１．１、Ｄ１．２およびＤ１．ｘが同ノードに設けられる。抵抗Ｒ２．１、Ｒ２．２およびＲ２．ｘは、それぞれダイオードＤ１．１、Ｄ１．２およびＤ１．ｘと直列に接続される。次いで各抵抗は、各分岐に設けられたヒューズＳ１．１、Ｓ１．２およびＳ１．ｘに通じる。上述したヒューズのそれぞれに対して、独立したＲＦＩＤ回路ＩＣ１．１、ＩＣ１．１およびＩＣ１．ｘが形成される。各ＲＦＩＤ回路は、ＲＦＩＤコイルＬ１．１、Ｌ１．２およびＬ１．ｘを、対応するアンテナ回路のキャパシタＣ１．１、Ｃ１．２およびＣ１．ｘとともに含む。
【００４４】
相異なる開放電流を有するスイッチングデバイスとしてのヒューズの並列接続のみでは、しきい値の設定は可能でない。この理由は、ヒューズの開放電流と抵抗が逆比例するからである。必要なしきい値スイッチを実現するために、すべてのヒューズＳ１．ｘは、同一の開放電流で構成されて、開放電流の分散が抵抗Ｒ２．１、Ｒ２．２およびＲ２．ｘによって実現される。抵抗値Ｒ２．ｘが低くなるにつれて、この分岐に流入する部分電流はますます高くなり、その結果、関連付けられたヒューズは最低のしきい値でトリガされる。
【００４５】
個々のＲＦＩＤ回路の応答は、市販のトランスポンダによって提供される、いわゆるＡＯＲ（要求応答）機能によって実現することができる。代替策としては、相異なるＲＦＩＤ回路の搬送周波数を相異なるように決めることが考えられる。
【００４６】
図１および図２に従う上述した実施形態により、１つまたは複数のしきい値ステージの超過量を、繰り返さずに登録することが可能になる。しかしながら、イベントの計数は不可能である。
【００４７】
図３に示すように、ヒューズを、自己導通型ＭＯＳＦＥＴＴ１として構成された電子スイッチで差し換える場合、トランスポンダＩＣ１のアンテナ回路は、一定周期で遮断することができる。時定数Ｒ２、Ｃ２によって設定可能な時間後に、アンテナ回路は、再び電流を通した状態になる。
【００４８】
トランスポンダＩＣ１の連続的な問い合わせが、読み取りデバイスによって実行される場合、読み取りユニットおよび評価ユニットが、電子スイッチＴ１の時定数よりも小さい問い合わせ間隔で動作するならば、パルスの生起用の計数デバイスを実現することが可能である。Ｃ２およびＲ２は、電子スイッチＴ１の制御入力で並列回路として配列される。
【００４９】
図３に従う模式的回路により、雷保護システムの気中終端デバイス内で放電電流を登録することが可能になる。この目的のために、ＲＦＩＤトランスポンダによるパルス監視器は、気中終端デバイスまたは対応する下降導体に固定することができる筺体内に収容される。
【００５０】
コイルＬ２の方向付けは、インパルス電流ｉによって引き起こされた磁場Ｈ（図４も参照）が、同コイルの巻き面に入り込むように選ばれる。
【００５１】
ＲＦＩＤアンテナ回路コイルＬ１の巻き面は、好ましくはパルス電流の磁場Ｈによってどんな誘導も引き起こされないように配列される。
【００５２】
この種類のコイルＬ１およびＬ２の模式的装置が、図４に図示される。
【００５３】
ここで、コイルＬ１およびＬ２の巻き面の平面は、実質的に互いに垂直である。
【００５４】
磁場Ｈは、コイルＬ２のコイル面の平面に準垂直（大略垂直）に入り込み、誘導が最大となるようにする。
【００５５】
本受動型ＲＦＩＤトランスポンダは、Ｌ１および図示されない読み取りデバイスを通じて誘導結合された電圧源によって読み取られる。
【００５６】
この測定は、電気的接続を必要としない。それゆえに、パルス監視用の回路は、密封されかつ天候から保護されて、筺体内に収容することができ、これは気中終端デバイス上の装置には特有の利点である。
【００５７】
評価ユニットおよび読み取りユニットは、別々の筺体内に別々に収容される。選択された送信方法およびコイルＬ１の特性に依存して、定義された距離に橋渡しをすることが可能である。ＡＯＲ機能を有するＲＦＩＤトランスポンダが用いられる場合、いくつかの気中終端デバイスの問い合わせが、単一の評価ユニットによって成し遂げることができる。
【図１】
2015512243.tif 000003
【図２】
2015512243.tif 000004
【図３】
2015512243.tif 000005
【図４】
2015512243.tif 000006
【手続補正書】
【提出日】平成26年11月6日(2014.11.6)
【手続補正１】
【補正対象書類名】明細書
【補正対象項目名】００４３
【補正方法】変更
【補正の内容】
【００４３】
図２の説明によれば、グレーツ整流ブリッジＧ１の出力側で抵抗Ｒ１の下流にノードが形成され、示された例において３つのダイオードＤ１．１、Ｄ１．２およびＤ１．ｘが同ノードに設けられる。抵抗Ｒ２．１、Ｒ２．２およびＲ２．ｘは、それぞれダイオードＤ１．１、Ｄ１．２およびＤ１．ｘと直列に接続される。次いで各抵抗は、各分岐に設けられたヒューズＳ１．１、Ｓ１．２およびＳ１．ｘに通じる。上述したヒューズのそれぞれに対して、独立したＲＦＩＤ回路ＩＣ１．１、ＩＣ１．２およびＩＣ１．ｘが形成される。各ＲＦＩＤ回路は、ＲＦＩＤコイルＬ１．１、Ｌ１．２およびＬ１．ｘを、対応するアンテナ回路のキャパシタＣ１．１、Ｃ１．２およびＣ１．ｘとともに含む。
【国際調査報告】
2015512243.tif 000007
2015512243.tif 000008
2015512243.tif 000009
2015512243.tif 000010
2015512243.tif 000011
2015512243.tif 000012